(57)【要約】【課題】パワーデバイスの高温時のスイッチング損失を低減する。【解決手段】パワーデバイスのチップ温度または周辺温度に応じて、パワーデバイスのスイッチング速度を切換える電流値を示す電流しきい値を、高温時に低い方に設定する。【選択図】図２
2008182835.tif 000002
【特許請求の範囲】
【請求項１】
スイッチング素子、
前記スイッチング素子の動作環境温度を検出する温度モニタ、および
前記温度モニタの検出出力に従って、前記スイッチング素子のスイッチング速度を遅い速度から速い速度へ切換える切換点を示すしきい値を変更するとともに、駆動信号に従って前記スイッチング素子のオン／オフを制御するゲート制御回路を備え、前記しきい値は、前記温度モニタの検出出力が温度上昇を示すとき低下される、半導体装置。
【請求項２】
前記ゲート制御回路は、
前記温度モニタの検出出力に従って抵抗値が設定され、該抵抗値に従って前記スイッチング素子を流れる電流を電圧に変換する可変抵抗素子と、
前記可変抵抗素子の生成する電圧に従って前記スイッチング素子のスイッチング速度を設定する速度設定回路を備え、
前記可変抵抗素子の抵抗値は、前記検出出力が高温状態を示すとき、高くされ、
前記速度設定回路は、前記可変抵抗素子の生成する電圧が所定値以上となるとスイッチング速度を早くする、請求項１記載の半導体装置。
【請求項３】
前記ゲート制御回路は、
前記温度モニタの検出出力と第１の基準値とを比較する第１の比較回路と、
前記第１の比較回路の出力信号に従って出力電圧のレベルが変更可能であり、前記第１の比較回路の出力信号に従って設定された第２の基準値を前記しきい値として生成する基準値生成回路と、
前記スイッチング素子を流れる電流と前記第２の基準値とを比較し、該比較結果を示す信号を生成する第２の比較回路と、
前記第２の被殻回路の出力信号に従って、前記スイッチング素子のスイッチング速度を設定する速度設定回路とを備える、請求項１記載の半導体装置。
【請求項４】
前記温度モニタは、前記スイッチング素子と同一半導体チップ上に形成され、一方方向に電流を流す整流機能を有する整流素子であり、前記整流素子のオン電圧が前記検出出力として用いられる、請求項１記載の半導体装置。
【請求項５】
前記温度モニタは、前記スイッチング素子が形成される半導体チップと異なる半導体チップに形成されるトランジスタ素子であり、前記トランジスタ素子のオン電圧が前記検出出力として用いられる、請求項１記載の半導体装置。
【請求項６】
前記半導体装置は、前記スイッチング素子として、それぞれが異なる半導体チップに形成される複数のパワーデバイスを備え、
前記トランジスタ素子は、前記複数のパワーデバイスの複数個のパワーデバイスのグループに対して共通に設けられる、請求項５記載の半導体装置。
【請求項７】
前記温度モニタは、抵抗値が温度依存性を有するサーミスタであり、前記サーミスタの生成する電圧が前記検出出力として用いられる、請求項１記載の半導体装置。
【請求項８】
前記温度モニタおよび前記ゲート制御回路は、同一半導体チップに形成され、前記スイッチング素子は、前記温度モニタおよびゲート制御回路とは別の半導体チップに形成される、請求項１記載の半導体装置。
【発明の詳細な説明】
【技術分野】
【０００１】
この発明は、半導体装置に関し、特に駆動電流量に応じてスイッチング速度が切換えられるパワーデバイスのスイッチング損失を低減するための構成に関する。
【背景技術】
【０００２】
ＩＧＢＴ（絶縁ゲート型バイポーラトランジスタ）およびパワーＭＯＳＦＥＴ（絶縁ゲート型電界効果トランジスタ）などのパワーデバイスが、電力変換を行なうパワーエレクトロニクスの分野において広く用いられている。パワーデバイスは、大電流かつ高電圧を取扱う半導体スイッチとして用いられる。このパワーデバイスは、電力変換を行なうため、そのスイッチ損失をできるだけ小さくするのが望まれる。ＩＧＢＴのターンオフ時のスイッチング損失を低減するために、ターンオフ時にゲート電流を放電する経路に設けられるゲート抵抗を、高温時に高抵抗状態へ切換える構成が、特許文献１（特開２００２−１１９０４４号公報）に示される。
【０００３】
ＩＧＢＴは、チップ温度（動作温度）が低いほど、または、遮断する電流値が大きいほど、そのコレクタ電流が０となるまでの出力電流の立下がり期間中の電流変化率ｄｉ／ｄｔが高くなる。ターンオフ時に、配線インダクタンスによるサージ電圧が発生する場合、サージ電圧は、電流変化率に比例する。このようなサージ電圧によりＩＧＢＴが破壊されるのを防止するため、サージ電圧の最悪ケースを想定して電流変化率ｄｉ／ｄｔを温度によらず固定的に設定した場合、高温時において、そのＩＧＢＴの電流変化率ｄｉ／ｄｔが不必要に低減され、ターンオフ損失が増加する問題が生じる。
【０００４】
特許文献１は、このような問題を解消するために、ＩＧＢＴのチップまたはその周辺の温度を温度測定器で測定する。その温度測定器の出力電圧を設定値と比較する。この温度が設定値よりも高くなった場合には、ＩＧＢＴのゲート抵抗値を低くする。すなわち、ＩＧＢＴの動作特性上、高温時においては、ＩＧＢＴの出力電流の電流変化率ｄｉ／ｄｔは低くなっている。高温時にそのゲート抵抗を強制的に低抵抗状態に設定して、比較的速くＩＧＢＴをターンオフさせて、ターンオフ損失を低減させることを図る。この特許文献１は、また、別の実施例として、温度測定器の出力電圧に従って、高温時、コレクタ電流検出信号の参照値となる基準電圧を高くする構成を示す。この場合、高温状態においては、大きなコレクタ電流まで、ゲート抵抗値を低い状態でＩＧＢＴをターンオフさせる。すなわち、この特許文献１は、温度によらずサージ電圧を一定としてＩＧＢＴをターンオフさせて、スイッチング損失を低減することを図る。
【０００５】
パワーデバイスにおいて、過熱時に、このパワーデバイスを遮断状態に駆動する過熱保護回路を備える構成が、特許文献２（特開２０００−２９８５２２号公報）および特許文献３（特開平１１−２９９２２１号公報）に示される。
【０００６】
特許文献２に示される温度センサ内蔵のパワーデバイスは、温度センサとしてＰＮ接合ダイオードを利用する。ＰＮ接合ダイオードのオン電圧（順方向降下電圧）が、温度上昇に伴って低下する負の温度特性を有することを利用して、パワーデバイスの動作温度をモニタする。
【０００７】
特許文献３に示される構成においては、温度検出のために、一定の電流が定電流源から供給されるダイオードのオン電圧（順方向降下電圧）をモニタする。このオン電圧が、所定値以下に低下すると、パワーデバイスの動作温度が、高温状態であると判定する。
【０００８】
また、半導体集積回路装置において過熱状態を検出する構成が、特許文献４（特開２００２−３６８１１０号公報）に示されている。この特許文献４に示される構成においては、バイポーラトランジスタのベース抵抗の漏れ電流を、温度を示すパラメータとして利用する。ベース抵抗は、ウェル領域表面に形成される拡散抵抗で構成し、ウェル領域を定電圧でバイアスする。ベース抵抗は、バイポーラトランジスタのベースと接地ノードの間に接続される。ウェル領域とベース抵抗の間にＰＮ接合が形成される。このベース抵抗において、ＰＮ接合の逆方向電流の温度依存性に従ってリーク電流が、高温時に増大する。この場合、バイポーラトランジスタのベース電流も増大し、応じてバイポーラトランジスタを介して流れる電流が増大する。このバイポーラトランジスタの出力電圧を検出して、高温状態を検出する。
【０００９】
また、インテリジェントパワーモジュールにおいて、温度検出素子としてサーミスタで構成される負性抵抗素子を利用する構成が、特許文献５（特開平７−２９７６９５号公報）に示される。このサーミスタは、スイッチング素子（ＩＧＢＴ）を流れる電流を電圧に変換する。この電圧変換により、サーミスタの抵抗値の低下が電圧低下に変換される。この変換電圧が、基準電圧以下のときに、高温状態にあると判定する。
【００１０】
また、パワーＩＣ（集積回路装置）においてパワーセルブロックの機能ブロック領域に、ＰＮダイオードを配置して温度を検出する構成が特許文献６（特開２０００−３１２９０号公報）に示される。パワーセルトランジスタのゲートと隣接してドープトポリシリコンを配置する。このドープトポリシリコンによりＰＮダイオードを形成する。機能ブロックはパワーデバイスの耐圧およびブロッキング特性等の所定の定格性能を維持するために設けられる領域であり、デッドスペースである。このデッドスペースを利用して、温度検出用のＰＮダイオードを配置することにより、また、各パワーセルブロックに配置することにより、チップ上の温度のばらつきの影響を抑制して、パワーデバイスの温度を正確に測定することを図る。
【特許文献１】特開２００２−１１９０４４号公報
【特許文献２】特開２０００−２９８５２２号公報
【特許文献３】特開平１１−２９９２２１号公報
【特許文献４】特開２００２−３６８１１０号公報
【特許文献５】特開平７−２９７６９５号公報
【特許文献６】特開２０００−３１２９０号公報
【発明の開示】
【発明が解決しようとする課題】
【００１１】
一般に、インテリジェントモジュールに内蔵されるパワートランジスタについては、駆動電流量に応じてスイッチング速度が変更される。温度がたとえば２５℃と低い場合には、ＩＧＢＴおよびパワーＭＯＳトランジスタなどのパワーデバイスは、スイッチング時の電流変化率ｄｉ／ｄｔは大きい。一方、たとえば１００℃などの高温においては、これらのパワーデバイスは、スイッチング時の電流変化率ｄｉ／ｄｔが小さい。パワートランジスタを介して流れる電流が小さいときは、スイッチング速度が遅くされ、この電流が大きいときには、スイッチング速度が速くされる。
【００１２】
このスイッチング速度の切換は、以下のために行なわれる。すなわち、パワートランジスタを介して流れる電流が小さいときに、電流変化率を低下させ、この領域における放射ノイズを低減する。また、電流変化率が小さい方が、配線の寄生インダクタンスＬによるサージ電圧（Ｌ・ｄｉ／ｄｔ）を小さくすることができ、ノイズを抑制することができる。また、パワートランジスタを介して流れる電流が大きい場合には、スイッチング速度を速くすることにより、スイッチング損失を低下させる。このスイッチング速度の切換点は、従来、インテリジェントパワーモジュールにおいては、温度に依存せずに固定的に定められる。
【００１３】
しかしながら、このようなスイッチング速度の制御を行なうと、以下のような問題が生じる。すなわち、このパワートランジスタを介して流れる電流が小さいときにスイッチング速度を低下させるため、この領域においてスイッチング損失が増大する。また、高温時においては、その素子特性から必然的に、電流変化率ｄｉ／ｄｔが小さくなる。このパワートランジスタを介して流れる電流が大きいときは、スイッチング損失低減の観点から、そのスイッチング速度を早くするだけである。このパワートランジスタを介して流れる電流が小さいときには、そのスイッチング速度は遅くされているため、高温時において、スイッチング損失が、さらに増大するという問題が生じる。
【００１４】
上述の特許文献１においては、温度に応じて、出力パワートランジスタのベース抵抗を切換える基準電圧レベルを変更している。すなわち、高温時においては、この基準電圧を高くし、ベース抵抗が低抵抗状態に維持される領域が、コレクタ電流の大きい領域にシフトされる。ベース抵抗タ低抵抗値の場合、スイッチング速度が早くされる。したがって、高温状態においては、この高速スイッチング動作する領域が広くなり、スイッチング損失が低減される。しかしながら逆に、寄生インダクタンスによるサージ電圧および放射ノイズが増大する可能性がある。
【００１５】
この特許文献１は、基本構成として、コレクタ電流が基準電流量以下の小さい領域においては、ベース抵抗を小さくし、そのスイッチング速度を速くする。一方、コレクタ電流が基準電流量よりも大きい領域においては、ベース抵抗を大きくして、そのスイッチング速度を低下させる。したがって、駆動電流量が大きい場合にスイッチング損失が大きくなる。特許文献１においては、温度が上昇した場合、スイッチング速度の切換点を、コレクタ電流の高い方へシフトさせて、スイッチング速度を速くする領域を広くしている。この特許文献１は、高温時のスイッチング損失の低減およびサージ電圧を一定とすることを意図しているだけである。この特許文献１は、高温時の小電流駆動時のノイズの低減および大電流駆動時のスイッチング損失の低減を実現する構成については考慮していない。
【００１６】
特許文献２は、温度センサ内蔵半導体素子を開示している。しかしながら、この温度センサ内蔵半導体素子は、過熱状態のときに負荷駆動用の出力半導体素子を強制的にオフ状態に設定するだけである。温度に応じて半導体素子のスイッチング速度を切換える構成については、特許文献２は何ら考慮していない。
【００１７】
特許文献３は、パワートランジスタのセンスエミッタ電流により過電流状態を検出する構成および定電流が供給されるＰＮダイオードのオン電圧を利用して過熱状態を検出する構成を示す。この特許文献３は、単に、パワートランジスタの保護回路を開示しているだけであり、温度に応じてパワートランジスタのスイッチング速度を切換える構成については何ら考慮していない。
【００１８】
特許文献４においては、ＰＮ接合の逆方向電流に従ってバイポーラトランジスタのベース電流を調整し、バイポーラトランジスタの出力電圧に従って温度を検出する構成が示される。このバイポーラトランジスタの出力電流／電圧に従って、高温時に負荷を駆動するパワートランジスタを強制的にオフ状態に設定している。この特許文献４は、ＰＮ接合の逆方向電流の温度依存性を利用して温度検出を行なっているだけである。この特許文献４においても、チップまたは周辺温度に応じて、負荷駆動用のパワートランジスタのスイッチング速度を切換える構成については何ら考慮していない。
【００１９】
特許文献５においては、サーミスタを用いてパワートランジスタの動作温度を検出する構成が示される。すなわち、負荷駆動パワートランジスタを流れる電流をサーミスタで電圧に変換して温度を検出する。検出温度が、高温の過熱状態を示すときには、パワートランジスタを強制的にオフ状態に設定する。したがって、この特許文献５においても、温度保護回路が示されるだけであり、温度に応じてパワートランジスタのスイッチング速度を切換える構成については何ら考慮されていない。
【００２０】
特許文献６においては、ダイオードをパワーセルブロックの機能領域部に配置して、各パワーセルブロックにおいて温度を検出する。検出温度に従って高温時に、パワーセルのトランジスタを強制的にオフ状態とする。特許文献６は、また、温度に応じてパワートランジスタのスイッチング速度を変更する構成については何ら考慮していない。
【００２１】
それゆえ、この発明の目的は、高温状態時のスイッチング損失を低減することのできる半導体装置を提供することである。
【００２２】
この発明の他の目的は、パワートランジスタのスイッチング損失およびスイッチングノイズを低減することのできる、インテリジェントパワーモジュールに内蔵されるスイッチング速度切換回路を提供することである。
【課題を解決するための手段】
【００２３】
この発明に係る半導体装置は、要約すれば、負荷を駆動する出力トランジスタのスイッチング速度を低速から高速に切換えるしきい値を、温度に応じて更新するものである。高温状態になると、そのしきい値を低くする。
【００２４】
すなわち、この発明に係る半導体装置は、出力負荷を駆動するスイッチング素子の動作温度を検出する温度センサと、この温度センサの検出出力に従ってスイッチング素子のスイッチング速度を切換えるしきい値を変更するゲート制御回路とを備える。このゲート制御回路は、温度センサの検出出力が、温度上昇を示すときにそのしきい値を低下する。
【発明の効果】
【００２５】
温度に応じてスイッチング速度の切換点を示すしきい値を変更することにより、動作温度に応じて、スイッチング速度を最適化することができ、ノイズおよびスイッチング損失を低減することができる。
【００２６】
１つの実施の形態において、温度上昇時においては、スイッチング素子のスイッチング速度切換点を低下させている。したがって、高温状態においては、このスイッチング素子のスイッチング速度が速くされる領域が、駆動電流が小さい領域まで広くなる。これにより、高温時におけるスイッチング素子の電流変化率の低下を補償することができ、スイッチング損失を低減することができる。
【発明を実施するための最良の形態】
【００２７】
［原理的構成］
図１は、この発明に従う半導体装置の原理的構成を概略的に示す図である。図１において、半導体装置は、インテリジェント・パワー・モジュール１である。インテリジェント・パワー・モジュール１は、負荷を駆動するパワーデバイスブロック２と、このパワーデバイスブロック２のオン／オフを制御する制御ブロック４と、パワーデバイスブロック２に含まれるパワーデバイス（パワートランジスタ；スイッチング素子）を破壊から保護する検出／保護ブロック６を含む。
【００２８】
パワーデバイスブロック２は、その用途に応じて複数のＩＧＢＴ、バイポーラトランジスタまたはパワーＭＯＳＦＥＴなどのパワーデバイスを含む。
【００２９】
制御ブロック４は、図示しないＣＰＵ（中央処理装置）からの制御信号ＣＴＬに従ってパワーデバイスブロック２に含まれるパワーデバイスに対する導通制御を行なう信号を生成する。この制御ブロック４は、パワーデバイスブロック２に含まれるパワーデバイス個々に、そのオン／オフを制御する。
【００３０】
検出／保護ブロック６は、このパワーデバイスブロック２に含まれるパワーデバイスの破壊要因となる過電流、過熱および短絡電流の異常検出および検出信号の生成を行なう。この制御ブロック４は、検出／保護ブロック６において異常が検出された場合には、パワーデバイスブロック２のパワーデバイスをすべて非動作状態（オフ状態）に設定するとともに、異常検出信号ＦＯ（フォールトアウトプット）をアサートし、主制御回路に対し異常発生を報知する。
【００３１】
この制御ブロック４は、また、パワーデバイスブロック２に含まれるパワーデバイスを流れる電流に従ってそのスイッチング速度を切換える制御を行なう。本発明においては、このスイッチング速度切換点を、インテリジェント・パワー・モジュール１内の温度、特にパワーデバイスの動作温度またはその周辺の温度に応じて変更する。
【００３２】
図２は、この発明に従うパワーデバイスのスイッチング速度切換点の制御を概略的に示す図である。図２において、横軸に、パワーデバイスがＩＧＢＴである場合のコレクタ電流（単位Ａ）を示し、縦軸に、スイッチング損失（単位Ｗ）を示す。
【００３３】
ＩＧＢＴなどのパワーデバイスは、その動作特性から、低温時においては、スイッチング時の電流変化率ｄｉ／ｄｔが大きい。したがって、低温時においては、スイッチング速度切換点（しきい値）が高い方が、すなわち、コレクタ電流が大きくなるまでスイッチング速度を遅い状態に設定する方が、放射ノイズの低減に対して有利である。しかしながら、温度が高くなった場合、パワーデバイス（ＩＧＢＴ）のスイッチング時の電流変化率ｄｉ／ｄｔが、低温時に比べて小さくなり、スイッチング損失が大きくなる。したがって、高温時においては、スイッチング速度切換点（しきい値）を低温時よりも低下させて、速いスイッチング速度で動作するコレクタ電流領域を拡張する。
【００３４】
すなわち、図２に示すように、スイッチング損失は、コレクタ電流が増大するにつれて、増大する。したがって、高温時において、折れ線Ｉにおいて示すように、スイッチング速度切換点ＳＴＨを、低い値に設定する。一方、低温時においては、折れ線ＩＩに示すように、そのスイッチング速度切換点ＳＴＬを高い値に設定する。スイッチング速度切換点が温度によらず固定される（たとえば切換点ＳＴＬ）状態に比べて、高温時におけるスイッチング損失を低減する。
【００３５】
上述のように、この発明に従えば、パワーデバイスのスイッチング速度の切換点を、高温時には、低温時よりも低くする。これにより、高温時の電流変化率が低下するのを補償して、スイッチング損失を低減する。以下、スイッチング速度切換のための構成について具体的に説明する。
【００３６】
［実施の形態１］
図３は、この発明の実施の形態１に従う半導体装置の構成を概略的に示す図である。図３においては、１つのパワーデバイス１０と、このパワーデバイス１０のオン／オフを制御する制御回路１２を代表的に示す。インテリジェント・パワー・モジュールにおいては、パワーデバイス１０が、図１に示すパワーデバイスブロック２において複数個設けられる。図１に示す制御ブロック４において、各パワーデバイス１０に対応して制御回路１２が設けられる。ここでは、パワーデバイス１０として、ＩＧＢＴを代表的に示す。以下、パワーデバイス１０を単にＩＧＢＴと称す。
【００３７】
このＩＧＢＴ１０は、コレクタ端子と、エミッタ端子と、センスエミッタ端子ＳＥとゲートＧとを有する。センスエミッタＳＥは、このエミッタ端子Ｅの構成するセルよりも十分小さな断面積を有し、コレクタ端子Ｃを介してエミッタＥへ流れるコレクタ電流の十分小さなセンス電流ｉｓｅを生成する。
【００３８】
このＩＧＢＴ１０のスイッチング速度を切換えるために、センス可変抵抗１４と、ＩＧＢＴ１０の動作温度またはその周辺の温度をモニタし、そのモニタ結果に従ってセンス可変抵抗１４の抵抗値を設定する温度モニタ１６が設けられる。この温度モニタ１６が、高温状態を検出すると、センス可変抵抗１４の抵抗値が高くされる。これらのセンス可変抵抗１４および温度モニタ１６は、図１に示す検出／保護ブロック６に設けられる。
【００３９】
制御回路１２は、ＩＧＢＴ１０のオン／オフを制御するドライブ回路２２と、このドライブ回路２２の出力するゲート電圧ＶＧの変化速度を設定する速度設定回路２０とを含む。速度設定回路２０は、ＩＧＢＴ１０のセンスエミッタ端子ＳＥから流れるセンス電流ｉｓｅとセンス可変抵抗１４とにより設定される電圧レベルが、所定値以上となると、ドライブ回路２２の出力電圧ＶＧの変化速度を速くする。ＩＧＢＴ１０は、そのゲート電圧ＶＧに従ってオン／オフ状態となる。このゲート電圧ＶＧの変化速度を調整することにより、ＩＧＢＴ１０のスイッチング速度を調整することができる。
【００４０】
この図３に示す半導体装置の構成において、温度モニタ１６が、測定温度が所定値以上の高温状態にあると判定すると、センス可変抵抗１４の抵抗値を高くする。したがって、低温状態におけるよりも、センス電流ｉｓｅが小さいときに、速度設定回路２０へのセンス電圧ＩＣＳ（センス電流ｉｓｅとセンス可変抵抗１４の抵抗値との積）が所定のしきい値を超える。従って、速度設定回路２０は、高温状態時においては、コレクタ電流が小さい状態で、ドライブ回路２２に、ＩＧＢＴ１０のスイッチング速度を速く設定する制御信号を出力する。
【００４１】
ドライブ回路２２が出力するゲート電圧ＶＧの変化速度の調整としては、ドライブ回路２２の出力段に含まれるプッシュ・プルトランジスタの電流駆動力が変更されてもよい。このゲート電圧ＶＧを生成するプッシュ・プルトランジスタの電流駆動力が大きくされれば、ゲート電圧ＶＧの変化速度が速くなる。これに代えて、ＩＧＢＴ１０のゲート端子Ｇとグランドの間にゲート抵抗素子を設け、速度設定回路２０が高温時には、そのゲート抵抗素子の抵抗値を、低抵抗状態に設定する構成が用いられてもよい。ターンオン損失およびターンオフ損失両者を低減する場合には、ゲート抵抗素子を、ハイ側電源ノードおよびロー側電源ノードに設ける。ＩＧＢＴ１０の導通時、ハイ側電源ノードに接続されるゲート抵抗素子をＩＧＢＴ１０のゲート端子Ｇに接続する。ＩＧＢＴ１０のターンオフ時には、ロー側電源ノードに接続される抵抗素子をゲート端子Ｇに接続する。ゲート抵抗素子の接続制御には、ＩＧＢＴのオン／オフを制御するドライブ信号を利用する。ゲート抵抗素子の抵抗値を温度に応じて切換えることにより、オン／オフ時のゲート電圧ＶＧの変化速度を調整することができる。
【００４２】
［変更例］
図４は、図３に示す温度モニタ１６およびセンス可変抵抗１４により構成されるセンス電流検出信号ＩＣＳを生成する部分の構成をより具体的に示す図である。
【００４３】
図４において、センス電流検出信号生成回路２４は、温度モニタ１６の出力電圧と温度基準電圧発生回路２５からの温度基準電圧を比較する比較回路２６と、比較回路２６の出力信号に従ってしきい値基準電圧発生回路２７の生成する複数のしきい値基準電圧の１つを選択するマルチプレクサ（ＭＵＸ）２８と、センス電流ｉｓｅとマルチプレクサ２８からのしきい値基準電圧とに従って、センス電流検出信号ＩＣＳを生成する比較回路２９とを含む。
【００４４】
温度基準電圧発生回路２５は、一例として、電源ノードと接地ノードの間に直列に接続される抵抗素子Ｒ１およびＲ２を含む。これらの抵抗素子Ｒ１およびＲ２の接続ノードから、温度基準電圧が生成される。
【００４５】
比較回路２６は、正入力に温度モニタ１６の出力電圧を受け、負入力に温度基準電圧発生回路２５の出力する基準電圧を受ける。
【００４６】
しきい値基準電圧発生回路２７は、電源ノードと接地ノードの間に直列接続される抵抗素子Ｒ３−Ｒ５を含む。マルチプレクサ２８は、比較回路２６の出力信号に従って抵抗素子Ｒ３およびＲ４の接続ノードの電圧および抵抗素子Ｒ４およびＲ５の接続ノードの電圧の一方を選択する。
【００４７】
比較回路２９の入力は、ハイ入力インピーダンスであり、センス電流ｉｓｅに従って充放電される。比較回路２９の正入力に電流／電圧変換用の抵抗素子（図示せず）が設けられ、センス電流ｉｓｅを電圧に変換する。このセンス電流入力ノード（正入力）の電圧と、マルチプレクサ２８からの電圧とを比較回路２９で比較する。次に、この図４に示す温度検出回路２４の動作について説明する。
【００４８】
今、温度モニタ１６は、温度上昇に伴ってその出力電圧が上昇するセンサであると仮定する。この場合、高温時において、温度基準電圧発生回路２５の生成する温度基準電圧よりも、温度モニタ１６の生成する出力電圧が高くなると、比較回路２６は、Ｈ（論理ハイ）レベルの信号を出力する。マルチプレクサ（ＭＵＸ）２８は、比較回路２６の出力信号がＨレベルである高温時においては、温度基準電圧発生回路２７の出力電圧のうち低い電圧を選択する。したがって、スイッチング速度切換点（しきい値）が低くされる。この状態においては、センス電流ｉｓｅが低温時よりも小さな状態で、マルチプレクサ２８の生成する基準電圧が規定する電流値よりも高い電流レベルであると比較回路２９により判定され、センス電流検出信号ＩＣＳは、Ｈレベルとなる。このセンス電流検出信号ＩＣＳがＨレベルとなると、図３に示す速度設定回路２４は、ドライブ回路２２の出力するゲート電圧ＶＧの変化速度を速くする。
【００４９】
一方、温度モニタ１６の出力電圧が、温度基準電圧発生回路２５の生成する基準電圧よりも低い場合には、比較回路２６の出力電圧はＬ（論理ロー）レベルである。応じて、マルチプレクサ（ＭＵＸ）２８は、しきい値基準電圧発生回路２７から高い方の基準電圧を選択して出力する。これにより、スイッチング速度切換点（しきい値）が高くされる。したがって、センス電流ｉｓｅが高温時よりも高い状態となるまで、比較回路２９は、その出力センス電流検出信号ＩＳＣＳをＬレベルに維持する。応じて、この低温状態においては、速度設定回路２０は、ゲート電圧ＶＧの変化速度が遅い領域をコレクタ電流が大きい領域まで拡張する。従って、ＩＧＢＴ（１０）は、センス電流ｉｓｅが低温時よりも大きい領域、すなわちコレクタ電流が大きくなる領域で、そのゲート電圧ＶＧが高速で変化され、高速でスイッチング動作する領域が狭くなる。
【００５０】
なお、温度モニタ１６の出力電圧が、温度上昇に伴ってその電圧レベルが低下する場合には、マルチプレクサ２８は、比較回路２６の出力信号に従って、上述の操作と逆の操作を行なって、基準電圧を選択する。
【００５１】
なお、基準電圧発生回路２５および２７においては、抵抗分圧により、基準電圧を生成している。この場合、抵抗素子Ｒ１−Ｒ５が、温度依存性を有していても、その温度依存性は、出力電圧において相殺されるため、基準電圧として、温度依存性の小さな基準電圧を生成することができる。
【００５２】
また、上述の説明においては、温度範囲を高温領域と低温領域に分割し、その高温領域および低温領域において、それぞれ、スイッチング速度切換点を設定している。この場合、温度領域としては、さらに多くの、例えば、高温領域、中温領域、および低温領域の温度領域に分割し、各温度領域に応じて、スイッチング速度切換点を設定する構成が用いられてもよい。
【００５３】
たとえば、図４において比較回路２６を２つ設け、これらの比較回路において異なる基準電圧と温度モニタ１６の出力電圧とを比較する。これらの２つの比較回路の出力信号の論理レベルにより、温度領域が、高温領域、中温領域、および低温領域のいずれにあるかを識別することができる。これらの２つの比較回路の出力信号をマルチプレクサ２８においてデコードし、そのデコード結果に従ってしきい値基準電圧発生回路２７から、高温領域用のしきい値基準電圧、中温領域用の基準電圧および低温領域用の基準電圧の１つを選択する。
【００５４】
したがって、図３に示すセンス可変抵抗素子１４の抵抗値を、等価的に２段階以上のさらに多くの多段階にわたって分割することにより、センス電流検出信号ＩＣＳの変化点を、多数の温度領域に対応して設定することができる。速度設定回路２０において、このセンス電流検出信号ＩＣＳの電圧レベルに応じてゲート電圧ＶＧの変化速度を設定することにより、ドライブ回路２２の出力するゲート電圧ＶＧの変化速度を高温領域、中温領域および低温領域に対応してそれぞれ設定することができる。
【００５５】
また、ゲート電圧ＶＧの変化速度は、高速および低速の２段階に設定されている。しかしながら、ゲート電圧ＶＧの変化速度が、３段階以上に渡って変更される場合でも、同様の効果を得ることができる。すなわち、スイッチング速度切換点（しきい値）が、複数設けられる構成においても、各しきい値に対応して、図４に示す構成を設けることにより、温度に応じて各しきい値を調整することができる。
【００５６】
以上のように、この発明の実施の形態１に従えば、温度モニタの検出温度に従って、パワーデバイスのスイッチング速度を切換えるしきい値を変更している。したがって、高温領域におけるスイッチング損失を低減することができ、効率的に動作するパワーデバイスおよびインテリジェントパワーモジュールを実現することができる。また、比較回路を利用して温度に応じてしきい値に対する基準電圧を変更しており、等価的にセンス抵抗の抵抗値を変更することができ、正確に温度に応じてスイッチング速度の切換点を調整することができ、また、複数のパワーデバイスに対して温度検出回路を共通に配置することも可能となる。
【００５７】
なお、図３においては、パワーデバイスの一例として、ＩＧＢＴが示されている。しかしながら、パワーＭＯＳＦＥＴまたはパワーバイポーラトランジスタにおいても、同様、そのスイッチング速度切換点を、温度に応じて変更することにより、同様の効果を得ることができる。
【００５８】
［実施の形態２］
図５は、この発明の実施の形態２に従う半導体装置の要部の構成を概略的に示す図である。図５において、１つのパワーデバイス（ＩＧＢＴ）１０が、パワーチップ３０に形成される。このパワーチップ３０と別に、制御ＩＣ（チップ）３２が設けられる。この制御ＩＣ３２に、図３に示す制御回路１２が形成される。すなわち、図３に示す制御回路１２およびパワーデバイス１０が、それぞれ別々の半導体チップの形成される。図１との対応において、パワーデバイスブロック２において、各パワーデバイスが別々の半導体チップ（パワーチップ）に設けられる。制御ブロック４において、各パワーチップ３０に対応して制御ＩＣ３２が別々に設けられる。
【００５９】
パワーチップ３０において、パワーデバイス１０と同じ半導体チップに温度モニタ１６が設けられる。この温度モニタ１６に対応して、センス可変抵抗１４が設けられる。図５においては、このセンス可変抵抗１４は、パワーチップ３０および制御ＩＣ３２の外部に設けられるように示す。しかしながら、このセンス可変抵抗１４は、図４に示すような温度検出構成を有する場合、別のチップとして、図１に示す検出／保護ブロック６内において設けられてもよい。
【００６０】
図６は、図５に示す温度モニタ１６の具体的構成を示す図である。図６において、温度モニタ１６は、電源ノードと接地ノードの間に順方向に接続されるＰＮダイオード３４を含む。このＰＮダイオード３４のアノードの電圧が、モニタ電圧として用いられる。ＰＮダイオード３４に対して電流を供給するために抵抗素子Ｒ６を含む電流供給回路１７が、設けられる。
【００６１】
ＰＮダイオード３４のＰＮ接合のビルトイン電圧、すなわちダイオードの順方向降下電圧（オン電圧）は、負の温度係数を有している。したがって、温度上昇とともに、このＰＮダイオード３４の順方向降下電圧が低下する。これにより、パワーデバイス１０の動作温度を推定することができる。特に、この温度モニタ１６をパワーデバイス１０と同じパワーチップ３０内に設けることにより、正確に、パワーデバイス１０の動作温度を検出することができる。また、ＩＧＢＴの場合、ベース／エミッタ間の接合温度によりセンスエミッタ電流が変化する。このベース／エミッタ間のＰＮ接合の温度をＰＮダイオード３４で検出することができる。これにより、高精度でパワーデバイス（ＩＧＢＴ）の温度検知を行なって、パワーデバイス（ＩＧＢＴ）１０のスイッチング速度の切換を行なうことができる。これにより、高温時におけるスイッチング損失を高精度で低減することができる。
【００６２】
なお、ＰＮダイオード３４としては、接合温度Ｔｊを検出する構成であればよく、たとえばコレクタおよびベースが接続されるバイポーラトランジスタまたはゲートおよびドレインが相互接続されるＭＯＳＦＥＴが用いられてもよい。ＰＮ接合に印加される電圧を検出する構成であればよい。
【００６３】
また、電流供給回路１７においては、抵抗素子に代えて、温度依存性の小さな定電流源が用いられても良い。
【００６４】
以上のように、この発明の実施の形態２に従えば、パワーデバイスと同一半導体チップ内に、ＰＮ接合の温度を検出するダイオード素子を温度モニタとして用いている。したがって、パワーデバイスの温度を正確に検出することができ、正確に、パワーデバイスの動作温度に応じて、スイッチング速度の切換点を設定することができる。
【００６５】
［実施の形態３］
図７は、この発明の実施の形態３に従う温度モニタの構成を概略的に示す図である。図７において、温度モニタ１６は、定電流源３７と、定電流源３７からの電流により、コレクタ端子にオン電圧Ｖｏｎを生成するｎｐｎバイポーラトランジスタ３６と、このｎｐｎバイポーラトランジスタ３６のベースバイアスを発生するバイアス回路３８を含む。バイアス回路３８は、電源ノードと接地ノードの間に結合され直列される抵抗素子Ｒ７およびＲ８を含む。
【００６６】
このバイポーラトランジスタ３６のコレクタ電圧（オン電圧Ｖｏｎ）が、センス可変抵抗素子１４の抵抗値調整信号として利用される。図４に示す構成において、比較回路２６の正入力に対する入力電圧として用いられる。
【００６７】
バイポーラトランジスタ３６は、コレクタ電流Ｉｃが、正の温度特性を有しており、温度上昇とともに、コレクタ電流が増大する。したがって、このオン電圧Ｖｏｎが、温度上昇とともに低下する。すなわち、オン電圧Ｖｏｎは、負の温度特性を有しており、このオン電圧Ｖｏｎの電圧レベルにより、パワーデバイスの近傍の温度を測定して、パワーデバイスの動作温度を検出することができる。バイアス回路３８は、抵抗分圧回路であり、そのバイアス電圧の温度依存性は小さく、一定のバイアス電圧を、バイポーラトランジスタ３６のベースへ与える。
【００６８】
この図７に示す温度モニタ１６の構成において、定電流源３７に代えて、高抵抗の抵抗素子が用いられてもよい。ただし、この場合、高抵抗の抵抗素子の温度依存性は十分小さくすることが要求される。
【００６９】
図８は、図７に示す温度モニタのインテリジェント・パワー・モジュール内の配置の一例を示す図である。図８において、インテリジェント・パワー・モジュールにおいて、パワーチップＰＷＣ１−ＰＷＣｍが設けられる。これらのパワーチップＰＷＣ１−ＰＷＣｍは、それぞれパワーデバイス（ＩＧＢＴ）を含む。これらのパワーチップＰＷＣ１−ＰＷＣｍそれぞれに対応して、制御ＩＣ（チップ）ＣＴＬＣ１−ＣＴＬＣｍが設けられる。
【００７０】
この制御ＩＣ（チップ）ＣＴＬＣ１−ＣＴＬＣｍは、それぞれ、対応のパワーチップＰＷＣ１−ＰＷＣｍの内部に設けられるパワーデバイスのターンオン／ターンオフを制御する。
【００７１】
これらのパワーチップＰＷＣ１−ＰＷＣｍは、２つのチップ群ＰＷＣ１−ＰＷＣｉとパワーチップ群ＰＷＣｊ−ＰＷＣｍに分割される。パワーチップＰＷＣ１−ＰＷＣｉに共通に、温度モニタ１６ａが設けられる。パワーチップＰＷＣｊ−ＰＷＣｍに共通に、温度モニタ１６ｂが設けられる。
【００７２】
この温度モニタ１６ａの検出出力に従って、制御ＩＣ（チップ）ＣＴＬＣ１−ＣＴＬＣｉが、スイッチング速度切換点の調整を行なう。また、制御ＩＣ（チップ）ＣＴＬＣｊ−ＣＴＬＣｍが、温度モニタ１６ｂからの検出出力に従って、スイッチング速度切換点の調整を行なう。
【００７３】
この図８に示すように、複数のパワーチップに共通に１つの温度モニタ１６（１６ａ，１６ｂ）を設けることにより、各パワーチップＰＷＣ１−ＰＷＣｍ内において温度モニタを設ける必要がなく、パワーチップＰＷＣ１−ＰＷＣｍの面積を低減することができる。また、複数のパワーチップに共通に１つの温度モニタを設けるだけであり、各パワーチップそれぞれに、温度モニタを設ける必要がなく、コストを低減することができる。
【００７４】
なお、この温度モニタ１６ａ−１６ｂは、単に温度を検出する構成であり、パワーチップＰＷＣ１−ＰＷＣｍに対してそれぞれ設けられるセンス可変抵抗の抵抗値を調整してもよい。また、これに代えて、温度モニタ１６ａおよび１６ｂは、各々、先の図４に示す温度検出回路と同様の構成を備えても良い。この構成の場合、温度検出回路は、その最近傍に設けられるパワーチップからのセンス電流ｉｓｅと温度モニタの出力信号とに従って、対応の制御ＩＣ（チップ）群ＣＴＬＣ１−ＣＴＬＣｉおよび制御ＩＣ（チップ）群ＣＴＬＣｊ−ＣＴＬＣｍにそれぞれ、共通に、センス電流検出信号を与えてもよい。すなわち、この場合、温度モニタを含む温度検出回路が、パワーチップＰＷＣ１−ＰＷＣｉに１つ共通に設けられ、またパワーチップＰＷＣｊ−ＰＷＣｍに共通に温度モニタ１６ｂを含む温度検出回路が設けられる。
【００７５】
なお、図８に示すインテリジェント・パワー・モジュールにおいては、パワーチップが複数のグループに分割されている。たとえば三相モータを駆動するインテリジェント・パワー・モジュールにおいては、パワーチップが、６個設けられる（三相Ｕ、Ｖ、およびＷそれぞれのハイサイドおよびローサイドパワートランジスタ）。この場合、インテリジェント・パワー・モジュールに設けられる全パワーチップに共通に、１つの温度モニタ（または温度検出回路）が設けられてもよい。
【００７６】
また、トランジスタのオン電圧を利用する温度モニタとして、ＭＯＳトランジスタが用いられてもよい。ＭＯＳトランジスタは、小電流領域においては、その駆動電流量の温度依存性はほぼ無視することができ、一方、オン抵抗が正の温度依存性を有する。したがって、一定の小電流をバイアスでんりゅうとしてＭＯＳトランジスタに供給し、このＭＯＳトランジスタのドレイン−ソース間電圧をオン電圧Ｖｏｎとして利用することにより、温度を検出することができる。
【００７７】
また、実施の形態２と同様、トランジスタのオン電圧を利用する温度モニタが、パワーチップそれぞれに設けられても良い。この構成の場合、パワーチップおよび制御ＩＣの組それぞれにおいて、個々にスイッチング速度切換えのしきい値の調整が行われる。
【００７８】
以上のように、この発明の実施の形態３に従えば、トランジスタを介して流れる電流（ＩＧＢＴの場合のコレクタ電流）またはオン電圧（ＭＯＳトランジスタの場合のオン抵抗）の温度特性を利用して、温度を検出している。したがって、パワーチップ外部に、温度モニタを配置することができ、複数のパワーチップに共通に温度モニタを配置することが可能となる。これにより、実施の形態１の効果に加えて、コストを低減することが可能となる。
【００７９】
［実施の形態４］
図９は、この発明の実施の形態４に従う温度モニタの構成を示す図である。図９において、温度モニタ１６は、サーミスタ４０を含む。このサーミスタ４０の両端の電圧を、温度検出信号として利用する。サーミスタ４０に対しては、電流供給回路１７に含まれる定電流源４２から温度に依存しない一定の電流が供給される。
【００８０】
サーミスタ４０は、正の温度係数および負の温度係数のいずれを有するものであってもよい。サーミスタ４０は、種々の抵抗値の製品が準備されている。したがって、トランジスタのオン電圧の種類（電圧レベル）に比べて、その（抵抗変化率の）種類は、多く、同一構成の温度検出回路を用いても、スイッチング速度切換えのしきい値変更温度として数多くの温度を準備することができる。したがって、インテリジェント・パワー・モジュールの用途に応じて、スイッチング速度の切換温度（しきい値）を変更する場合、このサーミスタ４０を変更するだけで、切換温度（しきい値）を変更することができる。
【００８１】
なお、この温度モニタ１６によるサーミスタ４０は、パワーチップそれぞれに対応して設けられてもよく、また先の実施の形態３に示すように、複数のパワーチップに共通に１つのサーミスタが設けられてもよい。
【００８２】
以上のように、この発明の実施の形態４に従えば、温度モニタとして、温度依存性の大きな抵抗値を有するサーミスタを利用している。したがって、実施の形態１の効果に加えて、用途に応じてスイッチング速度切換温度（しきい値）を容易に変更することができる。また、サーミスタを、先の実施の形態３において示したように複数のパワーデバイスに共通に設ける場合、実施の形態３と同様、価格を低減することができる。
【００８３】
［実施の形態５］
図１０は、この発明の実施の形態５に従う制御ＩＣ（チップ）の構成を概略的に示す図である。図１０において、制御ＩＣ（チップ）６０は、対応のパワーデバイスを駆動する制御回路６４と、温度検出回路６２とを含む。この温度検出回路６２は、温度モニタ６４と、周辺回路６５とを含む。温度モニタ６４は、先の実施の形態２から４において説明した温度モニタのいずれかの構成を有する。周辺回路６５は、この温度モニタ６４に対する電流の供給、センス可変抵抗素子、および温度モニタの検出信号に従ってセンス可変抵抗の抵抗値を調整する回路、および温度モニタ６４とセンス電流ｉｓｅに従ってセンス電流検出信号（ＩＣＳ）を生成する回路を含む（図４参照）。
【００８４】
制御回路６４は、図示しない主制御回路（ＣＰＵ）からの制御信号に従って対応のパワーデバイスの導通オン／オフを制御するゲート電圧ＶＧを、この温度検出回路６２からの検出信号に従って規定されるスイッチング速度で変化させる。
【００８５】
この図１０に示す制御ＩＣ（チップ）６０の場合、制御ＩＣ（チップ）内に、温度モニタおよびその周辺回路６５を含む温度検出回路６２が設けられる。したがって、インテリジェント・パワー・モジュール内に配置される電子部品点数を低減することができる。制御ＩＣ（チップ）において、温度モニタ６４および周辺回路６５を最適化して、その動作を保証することにより、不良率を低減することができる。また、インテリジェント・パワー・モジュール内に必要とされるチップを配置するのに要する時間を短縮することができる。また、このインテリジェント・パワー・モジュールの各パワーデバイスの動作特性を最適化するための、検出温度特性調整などのトリミングを、このインテリジェント・パワー・モジュール組込時に行なう必要がなく、実装時間を短縮することができる。
【００８６】
なお、この実施の形態５において、制御ＩＣ（チップ）６０は、パワーチップそれぞれに対応して設けられる。
【００８７】
以上のように、この発明の実施の形態５に従えば、温度モニタおよび周辺回路を制御ＩＣに内蔵している。したがってインテリジェント・パワー・モジュールの配置する電子部品点数を低減でき、実施の形態１の効果に加えて、さらに、部品点数を低減でき、応じて不良率を低減することができ、また実装に要する加工時間を短縮することができる。
【産業上の利用可能性】
【００８８】
この発明は、ＩＧＢＴ等のパワーデバイスを出力負荷駆動スイッチング素子として有し、そのスイッチング速度をパワーデバイスの駆動電流量に応じて切換える半導体装置に対して適用することにより、高温時のスイッチング損失を低減することができ、効率のよい半導体装置を実現することができる。特に、インテリジェント・パワー・モジュールに適用することにより、多くのパワーデバイスが並列に動作する環境において、高温時のスイッチング損失を低減でき、消費電力を低減でき、効率のよいインテリジェント・パワー・モジュールを実現することができる。このインテリジェント・パワー・モジュールの用途としては、特に限定されず、パワーデバイスおよびその制御回路が１つのモジュール内に配置されていればよい。
【図面の簡単な説明】
【００８９】
【図１】この発明が適用されるインテリジェント・パワー・モジュールの全体の構成を概略的に示す図である。
【図２】この発明におけるスイッチング速度切換点の変更態様を示す図である。
【図３】この発明の実施の形態１に従う半導体装置の要部の構成を概略的に示す図である。
【図４】この発明の実施の形態１に従うセンス可変抵抗を実現する温度検出回路の構成を示す図である。
【図５】この発明の実施の形態２に従う半導体装置の要部の構成を概略的に示す図である。
【図６】図５に示す温度モニタの構成の一例を示す図である。
【図７】この発明の実施の形態３に従う温度モニタの構成を概略的に示す図である。
【図８】この発明の実施の形態３に従う温度モニタのモジュール内の配置を概略的に示す図である。
【図９】この発明の実施の形態４に従う温度モニタの構成の一例を示す図である。
【図１０】この発明の実施の形態５に従う制御ＩＣ（チップ）の構成を概略的に示す図である。
【符号の説明】
【００９０】
１  インテリジェント・パワー・モジュール、２  パワーデバイスブロック、４  制御ブロック、６  検出／保護ブロック、１０  パワーデバイス、１４  センス可変抵抗、１２  制御回路、１６  温度モニタ、２０  速度設定回路、２２  ドライブ回路、３４  ＰＮダイオード、３６  バイポーラトランジスタ、１６ａ，１６ｂ  温度モニタ、ＰＷＣ１−ＰＷＣｍ  パワーチップ、ＣＴＬＣ１−ＣＴＬＣｍ  制御ＩＣ、４０  サーミスタ、６０  制御ＩＣ（チップ）、６２  温度検出回路、６４  制御回路、６４  温度モニタ、６５  周辺回路。
【図１】
2008182835.tif 000003
【図２】
2008182835.tif 000004
【図３】
2008182835.tif 000005
【図４】
2008182835.tif 000006
【図５】
2008182835.tif 000007
【図６】
2008182835.tif 000008
【図７】
2008182835.tif 000009
【図８】
2008182835.tif 000010
【図９】
2008182835.tif 000011
【図１０】
2008182835.tif 000012